(57)【要約】【課題】取り付けが容易であり、上下方向に延びる支持手段に植物を確実に固定でき、植物の成長に対応可能で植物を傷めにくく、構造が簡単で安価な誘引結束具の提供。【解決手段】つる植物Ａを上下方向に配設したワイヤＢ（支持手段）に誘引結束する誘引結束具１であって、ワイヤＢ（支持手段）に弾性係合する取付部２と、つる植物Ａに巻き付ける巻き付け部３を備え、巻き付け部３は、バネ性を有すると共に、一箇所が開口した環状に形成されており、切断箇所の一端が前記取付部に固定されると共に、他端部が常態において前記環状の径方向で前記取付部の内側に位置して取付部と重なる配置とされている。前記他端部は、そのバネ性に抗して前記取付部と当接する位置と前記取付部との当接から前記環状の径方向で内側及び外側へ離脱可能とされた位置とに変形可能とされている。【選択図】図３
0003200793.tif 000002
【実用新案登録請求の範囲】
【請求項１】
上下方向に配設した支持手段につる植物を誘引結束する誘引結束具であって、前記支持手段に弾性係合する取付部と、植物に巻き付ける環状でバネ性を有する巻き付け部とを備え、前記巻き付け部は環状の一か所が切断されており、前記切断箇所の一端が前記取付部に固定されると共に、他端部が常態において前記環状の径方向で前記取付部の内側に位置して取付部と重なる配置とされているとともに、前記他端部が前記バネ性に抗して前記取付部に当接する位置と、前記バネ性に抗して前記取付部から前記環状の径方向で内側及び外側へ変形して取付部から離間可能とされていることを特徴とした誘引結束具。
【請求項２】
前記取付部の断面は、前記環状の巻き付け部の径方向で外側に向かって開口した環状とされていることを特徴とした請求項１に記載の誘引結束具。
【請求項３】
前記取付部の断面は、環状の大円部と環状の小円部が前記環状巻き付け部の径方向で小円部を内側とし、且つ、環状の内部を連通させて配置され、大円部の前記環状巻き付け部の径方向で小円部と反対側が外側に向かって開口されていることを特徴とした請求項１に記載の誘引結束具。
【請求項４】
前記取付部は、前記支持手段に対する前記弾性係合によって支持手段との間でぐらつきやズレが生じない程度の上下方向寸法を有していることを特徴とした請求項１〜３のいずれか一つに記載の誘引結束具。
【請求項５】
前記取付部の外周面に前記環状の径方向と交差する方向に係合突条を張り出して設け、前記巻き付け部の他端部を、前記係合突条に関して、前記環状の径方向で内側に配置してあることを特徴とした請求項１〜４のいずれかに記載の誘引結束具。
【請求項６】
前記巻き付け部の他端部を接線方向から前記環状の径方向の内側へ屈曲させて直線屈曲部とし、これを前記環状の径方向で前記取付部の内側に位置させて取付部と重なる配置とされていることを特徴とした請求項１〜４のいずれかに記載の誘引結束具。
【考案の詳細な説明】
【技術分野】
【０００１】
本考案は、上下方向に配置したワイヤ、支柱等の支持手段にヘデラ、ゴーヤ等のつる植物を誘引結束する誘引結束具に関する。
【背景技術】
【０００２】
近年、室温の上昇を抑制し、夏季の電力消費量を抑えるためや環境緑化のために、ヘデラ、ゴーヤ等、主としてつる植物によって窓の外側や外壁面を覆う緑化技術が盛んに行われるようになっている。このような緑化技術は、植物を栽培する培地（地面或いはプランター）から上方へ向けてワイヤ、紐、支柱等の支持手段を延ばし、支持手段に沿って植物を成長させるのが一般的である。
ところで、ヘデラのように巻き付き能力が無いかほとんど無いつる植物を上方へ成長させるには、前記支持手段につる植物を成長に合わせて順次結束していく必要がある。
つる植物を支持手段に結束するには、通常、ビニタイ（登録商標）や紐を用いているが、つる植物の多数カ所を支持手段に結束する作業は手間がかかるだけでなく、高所で両手を用いる結束作業は非常に危険でもある。さらに、結束部材にその結束部が拡張していく機能がないとつる植物が若いときに誘引結束した箇所が窮屈になって、その後の成長を阻害することがある。一方、必要が無くなった結束部材を除去する作業も面倒であった。
【０００３】
そこで、従来、つる植物を比較的容易に支持手段に取り付け、また、取り外しできる結束具が提案されている。
例えば、特許文献１には、縦紐に沿って延びる縦軸部、縦軸部の上に形成されるツイスト部、および縦軸部の下に形成される掛留部を有し、縦紐をツイスト部に絡めるとともに掛留部に掛けることにより縦紐が留められて、縦紐との間に植物の茎を挟んで支持する誘引具が記載されている。
特許文献２には、Ｕ字形の蔓受け部が設けられ、蔓受け部の上両側を折り返してネットへ引っ掛けるための係止部が設けられた止め具が開示されている。
【先行技術文献】
【特許文献】
【０００４】
【特許文献１】実用新案登録第３１８８９０２号公報
【特許文献２】特開２００９−１９５２４６号公報
【考案の概要】
【考案が解決しようとする課題】
【０００５】
特許文献１に記載の誘引具は、縦紐への取り付けが面倒であり、緩やかに張った縦紐には取り付けられるが、支柱や強く張ったワイヤには適用できず、植物が成長して茎が太くなると、縦紐と縦軸部で挟まれて茎が傷つく虞がある。
特許文献２に開示された止め具は、係止部をネットの縦紐と横紐に引っ掛けなければ定位置に取り付けることができないため、上下方向に延びるワイヤや支柱に植物を安定して結束することができない。
本考案が解決しようとする課題は、上述の問題を解決する誘引結束具であって、結束作業が容易で、つる植物の肥大に適応可能であり、かつ、つる植物の成長に合わせた結束直しが不要であると共に、支持手段からずり落ちたりすることなく強固に固定でき、さらに、安価な誘引結束具を提供することである。
【課題を解決するための手段】
【０００６】
本考案は、上下方向に配設した支持手段に植物を誘引結束する誘引結束具であって、前記支持手段に弾性係合する取付部と、つる植物に巻き付ける環状でバネ性を有する巻き付け部とを備える。前記巻き付け部は一か所で切断されており、切断箇所の一端が前記取付部に固定されると共に、他端部が常態において前記環状の径方向で前記取付部の内側に位置して取付部と重なる配置とされる。そして、前記他端部は前記バネ性に抗して前記取付部と当接する位置と前記取付部との当接から前記環状の径方向で内側及び外側へ離脱可能とされる。
【０００７】
前記取付部の断面は、前記環状の巻き付け部の径方向で外側に向かって開口した環状とされることがある。
前記取付部は、前記支持手段に対する前記弾性係合によって支持手段との間でぐらつきやズレが生じない程度の上下方向寸法を有したものとすることが好ましい。
前記巻き付け部の他端部を接線方向から前記環状の径方向の内側へ屈曲させてこれを前記環状の径方向で前記取付部の内側に位置させることにより、取付部と重なる配置とすることがある。
前記取付部の外周面に前記環状の径方向と交差する方向に係合突条を張り出して設け、前記巻き付け部の他端部を、前記係合突条に関して、前記環状の径方向で内側に配置することにより、前記取付部に当接する位置と前記取付部との当接から前記環状の径方向で内側及び外側へ離脱可能とされることがある。
【考案の効果】
【０００８】
本考案によれば、取付部を支持手段に弾性係合させて取付け、バネ性のある巻き付け部を変形させて植物へ巻きつけるだけで、容易につる植物を支持手段へ誘引結束することができ、構造も簡単で価格が低廉で済む。
つる植物が若く、支持が必要な時に、つる植物が風で揺れて誘引結束部の巻き付け部を内側から押しても、巻き付け部の他端部は取付部に当接するだけで、この他端部が径方向外側へ開くのが規制される。このため、巻き付け部の他端部と取付部との隙間から植物が脱出することがない。
つる植物が生長して茎が太くなると、その成長に伴う茎の太さの変化に巻き付け部が広がって追随し、さらに、一定以上の太さにまで成長すると巻き付け部の端部が取付部から離脱してさらに拡張が可能なので、誘引結束具がつる植物を締め付けて傷めてしまう虞がない。
【図面の簡単な説明】
【０００９】
【図１】誘引結束具の使用状態を示した図。
【図２】誘引結束具の斜視図（実施例１）。
【図３】誘引結束具の使用を説明する平面図（成長前）。
【図４】誘引結束具の使用を説明する平面図（成長後）。
【図５】誘引結束具の変形状態を説明するための図、〔ａ〕は成長前、〔ｂ〕は成長後。
【図６】誘引結束具の使用手順を示した図。
【図７】誘引結束具の他の実施例を示した平面図（実施例２）。
【考案を実施するための形態】
【００１０】
図１はつる植物Ａ（この実施例においてヘデラ）をワイヤＢへ誘引結束した状態を示している。この状態は、生産農家においてつる植物Ａが生産されている状態の場合と生産されたつる植物Ａがビル緑化などの施工現場に運ばれ、そこで生育している状態の双方を一つの図を兼用して表示している。
すなわち、このつる植物Ａは高さ（長さ）が５０ｃｍから１００ｃｍ程度になるまで、生産農家で育てられ、出荷の際にはワイヤＢから取り外し、根付きのいわゆる苗として流通される。そして、苗を入手した施工現場では、必要箇所に新たにワイヤＢを張設してこれにつる植物Ａを誘引結束していくことになる。
【００１１】
以下、本考案の実施例を図面に基づいて詳細に説明する。図１〜図５は、本考案の実施例１を示す。
図１に示すように、本考案の誘引結束具１（図２）は、つる植物Ａを上下方向に配設したワイヤ（支持手段）Ｂに誘引結束するものであって、ワイヤＢの外周に弾性係合する取付部２と、環状であってつる植物Ａに巻き付ける巻き付け部３を備える。
素材は合成樹脂であって、合成樹脂は時間の経過で自然分解するエコロジカルな組成物が好ましく、一方、誘引結束具として成形されたものは耐候性を有し、且つ、適度な弾性を備えたものが好ましい。
ワイヤＢはワイヤ本体に樹脂製の線条を巻き付けたスパイラルワイヤにするのが好ましい。スパイラルワイヤはワイヤ表面に凹凸があるので、誘引結束具１をワイヤＢに弾性係合させて安定させるのに都合がよい。また、つる植物Ａの種類によっては登攀する際の拠り所となり素直な生育上で好ましい。スパイラルのピッチは２０ｍｍ程度である。
【００１２】
図２及び図３に示すように、取付部２は円の一部を切り欠いて開口部４とした円弧状であり、円弧両側の翼部５でワイヤＡを弾性的に挟持して係合できる構造となっている。また、取付部２の側面に前記環状の巻き付け部３の接線方向に突出させた係合突条６が設けられている。取付部２の上下方向寸法は、ワイヤＢに対する前記弾性係合によって支持手段との間でぐらつきやズレが生じない程度（この実施例においては２５ｍｍ）としてある。
なお、前記取付部２の内周面には軸方向に沿う複数の滑り止め突起を形成することがある。このような突起は、前記スパイラルワイヤの場合には必要ないが、前記支持手段の表面が平滑なステンレス線や紐等の場合には効果を発揮する場合がある。
取付部２をワイヤＢに係合するには、取付部２を開口部４の側からワイヤＢに押し付け、取付部２を弾性変形させて開口部４を拡大して、取付部２の内部にワイヤＢを挿入する。そこで取付部２を解放すると、取付部２がワイヤＢを締め付け、誘引結束具１がワイヤＢの所定位置に取り付けられる。また、取付部２は、上下方向の寸法を大きくしてあるので、ワイヤＢに対してふらつくことなく安定して取り付けることができる。
【００１３】
巻き付け部３は、この実施例では平板を湾曲させて環状とし、その一箇所を切除して開口部４とした環状形であり、バネ性を有する。
巻き付け部３の一端は取付部２の外面であって前記係合突条６と反対側の位置に固定され（一体に成形され）、他端部が前記係合突条６の内側、すなわち、取付部２の環状形の径方向で内側に位置させて前記係合突条６と重なる配置とされている。この箇所は抜け防止部８である。
【００１４】
誘引結束具１は、前記のように、つる植物Ａの生産者側と施工側の双方で使用される。
生産農家では、例えば、ワイヤＢを支持手段とし、誘引結束具１を用いてある程度の長さまで成長させる。成長したつる植物ＡはワイヤＢから取り外されて製品とされる。このとき、ワイヤＢからつる植物Ａを分離させる作業は、前記誘引結束具１の巻き付け部３を外側へ引いて取付部２との間隔を大きくして取り外す作業だけであり、簡単に行える。
なお、このようにつる植物Ａを支持手段から取り外して流通させることで、従来のように生産段階で使用された麻ひもなどの支持手段を現場で除去しなければならない施工手間を削減することができる。
施工側では、必要箇所に張設したワイヤＢに購入したつる植物を絡ませ、誘引結束具１で支持させていく作業となる。
【００１５】
ワイヤＢに取り付けた誘引結束具１の巻き付け部３をつる植物Ａに巻き付けるには、図３に破線で示すように、抜け防止部８における他端部を巻き付け部３が備えたバネ性に抗して前記環状の径方向で内側あるいは外側へ離脱させ、抜け防止部８と取付部２の間隙を通してつる植物Ａを巻き付け部３の内側に入れ込む（図５〔ａ〕）。そして、抜け防止部８を解放すると、巻き付け部３は元の形状に復帰して抜け防止部８の前記係合突条６と重なる位置にもどり、巻き付け部３の他端部と係合突条６が重合し、前記環状の径方向において抜け防止部８が閉鎖された状態となる。
【００１６】
なお、ワイヤＢに対してつる植物Ａを取り付けるとき、つる植物ＡをワイヤＢに沿わせて持ち上げ（図６〔ａ〕）、まず上部を誘引結束具１で結束する（図６〔ｂ〕）。次いで、弛みのある中間部をつまんでワイヤＢに巻き付けその部分を誘引結束具１で結束する（図６〔ｃ〕）。この場合、ワイヤＢに対してつるが巻く方向は上下で逆になるが、もともと巻き付き能力の無いヘデラなどではどちら向きに巻き付けても支障はない。この取付け方法は、つる植物ＡをワイヤＢへゆるく巻き付けて結束しただけでもズレ落ちることはないが、つる植物ＡがワイヤＢから離れると垂れ下がってしまう特性を利用したものであり、前記の取付け方法は、作業効率を上げるために有効である。
【００１７】
強風等によりワイヤＢやつる植物Ａが揺れて、つる植物Ａが巻き付け部３の他端部を内側から押すことがあっても、抜け防止部８の前記他端部は取付部２に当たって巻き付け部３の径方向外側へ開くことができないため、つる植物Ａが巻き付け部３から脱出してしまうことがない。また、取付部２の上下寸法は大きいので、取付部２と巻き付け部３の他端部が多少上下方向へ位置ずれしても、前記他端部が取付部２から外れてしまうことが無く、抜け防止部８は確実に機能する。
つる植物Ａが成長して太くなると、図４、図５〔ｂ〕に示すように、巻き付け部３が変形して広がり、一定以上の太さまで成長すると前記他端部は巻き付け部３が備えたバネ性に抗して前記環状の径方向で外側へ離脱するので、つる植物Ａが巻き付け部３により締め付けられて傷められる心配がない。
【００１８】
図７は、本考案の実施例２を示す。
誘引結束具１は、取付部２と環状の巻き付け部３を有する。
実施例２の取付部２は、図７に示すように、断面において環状である大円部９の内側にこれより径小の小円部１０を有し、これらの内部が連通するよう一体に連続して形成され、前記環状の取付部２の径方向で前記大円部９の外側箇所が開口されている。
巻き付け部３は、この実施例において、一端から他端に亘って円弧状に形成された断面が丸い丸棒で構成されており、一端側が前記取付部２の側面に固定されている（成形されている）と共に、他端部は、環形の接線方向から環状の径方向において内側へ、環形の弦の一部を構成する方向に屈曲されて直線屈曲部１１となっている。
【００１９】
巻き付け部３の前記直線屈曲部１１は、常態において前記環状の径方向で前記取付部２の内側に位置して前記取付部２と重なる配置とされている。これにより、巻き付け部３の前記他端部は、前記他端部が前記巻き付け部３のバネ性に抗して前記係合突条９と当接する位置と前記取付部２との当接から前記環状の径方向で内側及び外側へ離脱可能とされた位置とに変形可能とされ、抜け防止部８が構成されている。
従って、常態では、巻き付け部３の他端部と取付部２は前記環状の径方向で重合した位置にあることから、巻き付け部３の内側は外側から閉鎖された状態にあり、巻き付け部３の他端部が内側から押されても取付部２に当たって外方へ開いてしまうことがない。
【００２０】
実施例２の場合も実施例１と同様に、植物Ａが成長して太くなると、巻き付け部３は次第に広がり、一定の太さ以上になると、巻き付け部３の他端が取付部２から大きく離間して、巻き付け部３がつる植物Ａを圧迫することが無い。
また、取付部２は大円部９と小円部１０を有し、開口を備えた大円部９から小円部１０へ内部が通じているので、径の小さなワイヤＢや線材には小円部１０で弾性係合させ、比較的径の大きな紐や棒材等は大円部９で弾性係合させるなど使い分けることができる。
【００２１】
なお、本考案の誘引結束具の具体的な構造は、上記実施例に限定されない。
例えば、実施例２のように丸棒を湾曲させて巻き付け部３を形成した場合に、実施例１と同様に、係合突条６を有する抜け防止部８とすることもできる。
また、支持手段はスパイラルワイヤが好ましいが他のワイヤや線条あるいは支柱であってもよい。
【符号の説明】
【００２２】
１  誘引結束具
２  取付部
３  巻き付け部
４  開口部
５  翼部
６  係合突条
７  滑り止め突起
８  抜け防止部
９  大円部
１０  小円部
１１  直線屈曲部
【図１】
0003200793.tif 000003
【図２】
0003200793.tif 000004
【図３】
0003200793.tif 000005
【図４】
0003200793.tif 000006
【図５】
0003200793.tif 000007
【図６】
0003200793.tif 000008
【図７】
0003200793.tif 000009